(57)【要約】    【課題】簡単な構造で配線の錯綜を防止しながら、配線相互間での電磁波の悪影響を容易且つ確実に防止できるようにする。    【解決手段】一端側電気的手段６０と他端側電気的手段２１，３１，３９，４０とを、複数本を一組とする複数組の配線９０，９１を備えたハーネス８３ｃ，８５ｃにより接続する。ハーネス８３ｃ，８５ｃは複数組の配線９０，９１の両端にコネクタ９２，９３を有し、複数組の配線９０，９１は各組毎に分けて撚り合わされている。ハーネス８３ｃ，８５ｃの製造時には、複数組の配線９０，９１の両端にコネクタ９２，９３を接続した後、複数組の配線９０，９１を各組毎に分けて、両配線９０，９１間にコネクタ９２，９３を通すことにより、各組の配線９０，９１を逆向きに１回又は複数回撚り合わす。【選択図】  図１０
2011115315.tif 000002
【特許請求の範囲】
【請求項１】
一端側電気的手段（６０）と他端側電気的手段（２１，３１，３９，４０）とを複数本を一組とする複数組の配線（９０，９１）により接続した遊技機において、前記複数組の配線（９０，９１）を一つのハーネス（８３ｃ，８５ｃ）に備え、前記複数組の配線（９０，９１）は各組毎に分けて撚り合わされていることを特徴とする遊技機。
【請求項２】
前記ハーネス（８３ｃ，８５ｃ）は両端にコネクタ（９２，９３）を備え、前記複数組の配線（９０，９１）の両端が各組毎にまとめて前記各コネクタ（９２，９３）に接続されていることを特徴とする請求項１に記載の遊技機。
【請求項３】
前記ハーネス（８３ｃ，８５ｃ）は各組毎に撚り合わされた前記複数組の配線（９０，９１）が互いに撚り合わされ、中間が結束具（９４）により結束されていることを特徴とする請求項１又は２に記載の遊技機。
【請求項４】
前記複数組の配線（９０，９１）は逆向きに撚り合わされていることを特徴とする請求項１〜３の何れかに記載の遊技機。
【請求項５】
前記一端側電気的手段は制御源（６０）であり、前記他端側電気的手段は複数個の制御対象（２１，３１，３９，４０）であり、前記制御源（６０）と前記各制御対象（２１，３１，３９，４０）とを対応する複数組の配線（９０，９１）により接続したことを特徴とする請求項１〜４の何れかに記載の遊技機。
【請求項６】
前記制御源は演出制御基板（６０）であり、前記制御対象は前記演出制御基板（６０）により制御される演出用の電飾手段（２１）と、前記演出制御基板（６０）により制御される効果音発生用のスピーカ（３１，３９，４０）とであることを特徴とする請求項５に記載の遊技機。
【請求項７】
遊技盤（８）に前記演出制御基板（６０）と盤側ジョイント部（１６）とを備え、前記遊技盤（８）が着脱自在に装着される遊技機本体（１）に、前記電飾手段（２１）、前記スピーカ（３１，３９，４０）が接続された中継基板（３０）と、前記遊技盤（８）の装着時に前記盤側ジョイント部（１６）に電気的に着脱自在に接続される枠側ジョイント部（１４）とを備え、前記演出制御基板（６０）と前記盤側ジョイント部（１６）とを前記ハーネス（８５ｃ）を介して接続し、前記枠側ジョイント部（１４）と前記中継基板（３０）とを別の前記ハーネス（８３ｃ）を介して接続したことを特徴とする請求項６に記載の遊技機。
【請求項８】
複数本を一組とする複数組の配線（９０，９１）をまとめてその両端のコネクタ（９２，９３）に接続した遊技機用ハーネスを製造するに際して、前記複数組の配線（９０，９１）の両端に前記コネクタ（９２，９３）を接続した後、前記複数組の配線（９０，９１）を各組毎に分けて、前記両配線（９０，９１）間に前記コネクタ（９２，９３）を通すことにより、前記各組の配線（９０，９１）を逆向きに１回又は複数回撚り合わすことを特徴とする遊技機用ハーネスの製造方法。
【請求項９】
逆向きに撚り合わされた前記複数組の配線（９０，９１）を互いに撚り合わせた後、前記両コネクタ（９２，９３）間の中間の１箇所又は複数箇所を結束具（９４）により結束することを特徴とする請求項８に記載の遊技機用ハーネスの製造方法。
【請求項１０】
前記両コネクタ（９２，９３）間の中間で前記複数組の配線（９０，９１）を結束具（９４）により結束した後、その結束具（９４）の両側で前記複数組の配線（９０，９１）を撚り合わすことを特徴とする請求項８に記載の遊技機用ハーネスの製造方法。
【発明の詳細な説明】
【技術分野】
【０００１】
本発明は、パチンコ機、アレンジボール機、スロットマシン等の遊技機に関するものである。
【背景技術】
【０００２】
パチンコ機等の遊技機では、遊技機内の電気的手段を配線により接続し、また遊技機内の電気的手段と機外の島設備側の電気的手段とを配線により接続している。このように多数の電気的手段を配線により接続する場合、各配線が複雑に錯綜しないように数種類の配線をまとめて束ねる方法を取っていた。
【０００３】
しかし、数種類の配線をまとめて束ねると、一方の配線から発生する電磁波が他方の配線のノイズとなって他方の配線の信号に悪影響を与える問題がある。例えば、島設備から遊技機側に電源を供給する電源線と、遊技機からの大当たり等のデータを管理装置に送信するデータ線とを束ねた場合には、電源線から発生する電磁波によりデータ線の信号が悪影響を受ける問題がある。また遊技機内の電気的手段相互を接続する数種類の信号線を束ねた場合にも、信号線から発生する電磁波が互いに影響を及ぼし合う問題がある。
【０００４】
そこで、従来は一方の配線から発生する電磁波が他方の配線のノイズとなる関係にある場合には、その両配線を離間させて配置するようにしている。例えば電源線と信号線の場合には、夫々の係止部を離れた位置に配置してその係止部に電源線、信号線を係止する等、両配線が交差、接近しないように離間させることにより、一方から発生する電磁波が他方に対して悪影響を及ぼさないようにしている（特許文献１、２）。
【先行技術文献】
【特許文献】
【０００５】
【特許文献１】特開２００２−２８３５０号公報
【特許文献２】特開２００５−２９６６２８号公報
【発明の概要】
【発明が解決しようとする課題】
【０００６】
従来の配線形態では、多数の配線が複雑に錯綜する惧れがあり、また電気的手段の配置によっては電磁波の影響を防止し得ない問題がある。即ち、各配線を離間させて配置する場合には、遊技機の内部で多数の配線が複雑に錯綜する惧れがある。また遊技部品等の電気的手段が近接する場合には、その電気的手段から離れた箇所では配線を離間させて配置することも可能であるが、電気的手段の近傍では各配線が交差又は近接するため、電気的手段の近傍部分での配線相互の電磁波の影響を防止することは困難である。
【０００７】
本発明は、このような従来の問題点に鑑み、簡単な構造で配線の錯綜を防止しながら、配線相互間での電磁波の悪影響を容易且つ確実に防止できる遊技機及び遊技機用ハーネスの製造方法を提供することを目的とする。
【課題を解決するための手段】
【０００８】
本発明は、一端側電気的手段６０と他端側電気的手段２１，３１，３９，４０とを複数本を一組とする複数組の配線９０，９１により接続した遊技機において、前記複数組の配線９０，９１を一つのハーネス８３ｃ，８５ｃに備え、前記複数組の配線９０，９１は各組毎に分けて撚り合わされているものである。
【０００９】
また別の本発明は、複数本を一組とする複数組の配線９０，９１をまとめてその両端のコネクタ９２，９３に接続した遊技機用ハーネスを製造するに際して、前記複数組の配線９０，９１の両端に前記コネクタ９２，９３を接続した後、前記複数組の配線９０，９１を各組毎に分けて、前記両配線９０，９１間に前記コネクタ９２，９３を通すことにより、前記各組の配線９０，９１を逆向きに１回又は複数回撚り合わすものである。
【発明の効果】
【００１０】
本発明によれば、簡単な構造のハーネス８３ｃ，８５ｃで配線９０，９１の錯綜を防止しながら、配線９０，９１相互間の電磁波の悪影響を容易且つ確実に防止できる。またそのハーネス８３ｃ，８５ｃを容易に製造することができる。
【図面の簡単な説明】
【００１１】
【図１】本発明の第１の実施形態を示すパチンコ機の正面図である。
【図２】同ガラス扉、開閉板を取り外した状態の正面図である。
【図３】同パチンコ機の背面図である。
【図４】同パチンコ機の横断平面図である。
【図５】同枠側ジョイント部の正面図である。
【図６】同遊技盤の背面図である。
【図７】同表示画像の説明図である。
【図８】同接続図である。
【図９】同コネクタの分解斜視図である。
【図１０】同ハーネスの説明図である。
【図１１】同ハーネスの製造工程の説明図である。
【図１２】本発明の第２の実施形態を示すハーネスの製造工程の説明図である。
【図１３】本発明の第３の実施形態を示すハーネスの説明図である。
【図１４】本発明の第４の実施形態を示すハーネスの説明図である。
【図１５】本発明の第５の実施形態を示すハーネスの説明図である。
【発明を実施するための形態】
【００１２】
以下、本発明の実施形態を図面に基づいて詳述する。図１〜図１１は本発明をパチンコ機に採用した第１の実施形態を例示している。図１〜図３において、１は遊技機本体で、矩形状の外枠２と、この外枠２の前側に左右一端側のヒンジ３により開閉自在に枢着された前枠４とを備えている。前枠４は外枠２の前面側に当接可能な矩形状であり、下部装着部５と上部装着部６とを一体に備え、下部装着部５に発射手段７等が、上部装着部６に遊技盤８等が夫々配置されている。
【００１３】
前枠４の前側には、下部装着部５に対応する開閉板９と、上部装着部６に対応するガラス扉１０とがヒンジ３と同じ側のヒンジ１１により開閉自在に枢支されている。また前枠４の裏側には図４、図５に示すように枠側コネクタ１３ａ〜１３ｄを有する枠側ジョイント部１４が、遊技盤８の裏側には図４、図６に示すように盤側コネクタ１５ａ〜１５ｄを有する盤側ジョイント部１６が夫々設けられており、前枠４に遊技盤８を装着したときに、両ジョイント部１４，１６の枠側コネクタ１３ａ〜１３ｄと盤側コネクタ１５ａ〜１５ｄとを着脱自在に接続することにより、前枠４側と遊技盤８側との電気系統を一括して接続するようになっている。
【００１４】
開閉板９の前面には、図１、図４に示すように発射手段７に供給するための遊技球を貯留する供給皿１７と、この供給皿１７の下側で余剰球を受ける受け皿１８と、発射手段７を作動させる発射ハンドル１９とが設けられている。供給皿１７、受け皿１８は皿カバー２０により覆われている。皿カバー２０には回転灯（演出用の電飾手段）２１が設けられると共に、その周辺に複数箇所に多数の演出用の発光素子（図示省略）が設けられている。
【００１５】
回転灯２１は演出用の電飾手段と操作手段とを兼用しており、ＬＥＤ等の複数個の発光素子と、発光素子により赤色発光する発光カバー２２と、発光素子を回転させるモータと、発光カバー２２の押圧操作を検出するセンサ等を備え、例えば遊技中の所定期間中に押圧操作したときに回転発光して大当たりを予告する等、所定の演出を視覚的に行うようになっている。皿カバー２０の他の発光素子も遊技中に所定の視覚的演出を行うようになっている。
【００１６】
ガラス扉１０は図１、図４に示すように遊技盤８の遊技領域８ａを透視可能なガラス窓を有する扉枠２３と、この扉枠２３の前側に装着された合成樹脂製の化粧カバー２４と、扉枠２３の裏側に装着されたガラスユニット２５とを備えている。ガラスユニット２５は、前後二枚のガラス板２６と、この二枚のガラス板２６を外周で保持する合成樹脂製の保持枠２６ａとで構成されており、扉枠２３の裏側に設けられた締結具２７により扉枠２３に着脱自在に装着されている。
【００１７】
下部装着部５は横長状であって、図２に示すように前側の略中央に発射手段７が配置され、その左右両側に前枠中継基板３０及び下部スピーカ３１が夫々配置されている。発射手段７は、板金製の支持板３２と、この支持板３２の前面に装着された発射レール３３と、支持板３２の前面で前後方向の駆動軸廻りに揺動自在に支持された打撃槌３４と、支持板３２の裏側に装着され且つ打撃槌３４を打撃方向に駆動するロータリソレノイド等の発射駆動手段３５等を備え、発射ハンドル１９が操作されたときに発射駆動手段３５により打撃槌３４を打撃方向（時計廻り）に間欠的に駆動することにより、供給皿１７から発射レール３３上に供給された遊技球を発射レール３３に沿って打撃して遊技盤８側に発射させるようになっている。前枠中継基板３０は下部装着部５の前面に装着され、開閉自在に枢支された開閉カバー３６により覆われている。なお、開閉カバー３６は省略してもよい。
【００１８】
上部装着部６には図２、図４に示すように前部側に遊技盤８を装着可能な遊技盤装着枠３７が、後部側に遊技盤８の裏側を覆う後部ケース３８が夫々設けられ、その上部の左右両端側には一対の上部スピーカ３９，４０が着脱自在に装着されている。
【００１９】
遊技盤８の前面には、図１に示すように、発射手段７から発射された遊技球を案内するガイドレール４１が略円弧状に配置されると共に、そのガイドレール４１の内側の遊技領域８ａに画像表示手段４３、普通図柄始動手段４４、特別図柄始動手段４５、可変入賞手段４６、普通入賞手段４７、普通図柄表示手段４８、特別図柄表示手段４９等の各種の遊技部品が配置されている。
【００２０】
画像表示手段４３は遊技領域８ａの左右方向の略中央の上部に配置され、特別図柄始動手段４５と可変入賞手段４６は画像表示手段４３の下側に上下に配置されている。普通入賞手段４７は可変入賞手段４６の左右両側に設けられている。特別図柄始動手段４５は非開閉式入賞口４５ａと開閉式入賞口４５ｂとを有する。普通図柄始動手段４４は画像表示手段４３とガイドレール４１との間に配置されている。
【００２１】
画像表示手段４３は液晶式等の画像表示部５０と、画像表示部５０に対応する表示窓５１を有し且つ遊技盤８の前面に装着された前飾り枠５２とを備え、前飾り枠５２に画像表示部５０が装着されている。前飾り枠５２には遊技盤８から前側に突出しており、この前飾り枠５２の上部側に普通図柄表示手段４８と特別図柄表示手段４９とが装着されている。
【００２２】
普通図柄表示手段４８は普通図柄を変動表示するためのもので、複数種類の普通図柄（例えば２種類の「○」「×」）に対応する複数個の発光素子により構成されており、普通図柄始動手段４４が遊技球を検出することを条件に２個の発光素子が交互に点灯するように所定時間点滅して、普通図柄始動手段４４の遊技球の検出時に抽選した乱数値が予め定められた当たり判定値と一致した場合に当たり態様の「○」側の発光素子が点灯し、それ以外の場合に外れ態様の「×」側の発光素子が点灯して停止する。なお、変動後の普通図柄は１／１０程度の所定の確率で当たり態様となる。
【００２３】
特別図柄表示手段４９は発光部位の変化等で特別図柄を変動表示可能なセグメント式等により構成されており、特別図柄始動手段４５が遊技球を検出することを条件に、特別図柄が所定時間変動して、特別図柄始動手段４５の遊技球の検出時に抽選された乱数値が予め定められた大当たり判定値と一致した場合に所定の大当たり態様で、それ以外の場合に外れ態様で停止するようになっている。
【００２４】
特別図柄始動手段４５の開閉式入賞口４５ｂは、普通図柄表示手段４８の変動後の停止図柄が当たり態様となったときに所定時間（短時間）だけ開放するようになっている。可変入賞手段４６は開閉板９を有し、特別図柄表示手段４９の変動後の特別図柄が大当たり態様となって特別遊技状態が発生したときに開閉板９が前側に開放して、上方から落下する遊技球を入賞させるようになっている。特別遊技状態中は開閉板９の開放から所定時間（例えば３０秒程度）が経過するか、その間に所定数（例えば１０個）の遊技球が入賞したときに開閉板９を閉じる動作を１ラウンドとし、この動作を所定回数（例えば１６ラウンド）継続するようになっている。
【００２５】
画像表示部５０は特別図柄表示手段４９の特別図柄に対応する演出図柄５３ａ〜５３ｃの変動表示、回転灯２１の操作指示画像５４を表示する操作指示等、遊技の進行に従って適宜タイミングで各種の演出画像を随時表示するものである。即ち、特別図柄表示手段４９の特別図柄の変動に際しては、その特別図柄の変動に同期して１個又は複数個、例えば３個の演出図柄５３ａ〜５３ｃが画像表示部５０に変動表示される。このとき演出図柄５３ａ〜５３ｃは特別図柄始動手段４５の遊技球の検出を条件に、抽選により決定された所定の演出図柄変動パターンを経て所定時間変動した後、特別図柄の変動終了に同期して所定の順序（例えば左、右、中等の順序）で順次停止する。
【００２６】
演出図柄５３ａ〜５３ｃの変動後の停止図柄は、特別図柄が大当たり態様で停止する場合には全てが揃う大当たり演出態様となり、特別図柄が外れ態様で停止する場合には少なくとも一部が異なる外れ演出態様となる。なお、演出図柄５３ａ〜５３ｃは０〜９までの数字図柄が使用されており、特別図柄が大当たり態様で停止する場合には演出図柄５３ａ〜５３ｃは「７・７・７」等の大当たり演出態様で停止し、特別図柄が外れ態様で停止する場合には演出図柄５３ａ〜５３ｃは「２・４・５」等の外れ演出態様で停止する。
【００２７】
回転灯２１の操作指示に際しては、変動後の特別図柄が大当たり態様となる信頼度の高い演出図柄変動パターンを抽選したとき等、遊技者に対して期待感を抱かせる所定の遊技状態、例えば図７に示すように１個の演出図柄５３ｂを除く２個の演出図柄５３ａ，５３ｃが同じとなるリーチとなった場合に、画像表示部５０の所定箇所に回転灯２１の操作を指示する操作指示画像５４が表示される。
【００２８】
そして、例えば特別図始動手段４５が遊技球を検出したときに大当たりを抽選しており、変動後の特別図柄が大当たり態様となった後に特別遊技状態が発生する場合には、その操作指示画像５４に従って図柄変動中に適宜タイミングで回転灯２１を押圧操作すれば、回転灯２１が回転しながら赤色発光する回転発光状態となって、その後の大当たり態様での特別図柄の停止、及びこれに続く特別遊技状態の発生を予告する。
【００２９】
なお、回転灯２１は遊技者が操作するか否かに関係なく回転発光させてもよい。また回転灯２１の回転発光中は、画像表示部５０に回転灯２１の回転発光を示す演出画像を表示してもよい。
【００３０】
遊技盤８の裏面側には、図４，図６に示すように、画像表示手段４３等の遊技部品を後側から覆う裏カバー５７が装着され、この裏カバー５７の裏面側に主制御基板５８が格納された主基板ケース５９と、演出制御基板６０が格納された演出基板ケース６１と、液晶制御基板６２が格納された液晶基板ケース６３とが着脱自在に装着されている。
【００３１】
裏カバー５７は、上部側の上部カバー６４と下部側の集球ケース６５とで構成されており、これら上部カバー６４と集球ケース６５は遊技盤８の裏面に上下に近接して装着されている。集球ケース６５は下部側に排出口６６を備え、可変入賞手段４６等に入賞して遊技盤８の裏側へと案内された遊技球を排出口６６側に誘導して下向きに排出するように構成されている。なお、演出基板ケース６１、液晶基板ケース６３は上部カバー６４の裏側に装着され、主基板ケース５９は集球ケース６５の裏側に装着されている。
【００３２】
遊技盤装着枠３７は図２、図４に示すように前側に開口する矩形状であって、遊技盤８を前側から着脱できるように構成されている。遊技盤装着枠３７は段部３７ａに当接状態で嵌合する遊技盤８を固定するための固定手段２９を備え、また段部３７ａと一体に後部ケース３８が設けられている。遊技盤８は遊技盤装着枠３７内に挿入する際に一端側（例えば左端下部）を基準に挿入するようになっており、他端側の下部に前後に相対応して枠側ジョイント部１４と盤側ジョイント部１６とが設けられている。
【００３３】
前枠４の裏側には図３に示すように後部ケース３８の上側に遊技球タンク６９とタンクレール７０とが左右に配置され、後部ケース３８の側方に払い出し手段７１と払い出し通路７２とが上下に配置されており、遊技球が可変入賞手段４６等に入賞したとき、又は図外の自動球貸し機から球貸し指令があったときに、遊技球タンク６９内の遊技球をタンクレール７０を経て払い出し手段７１により払い出し、その遊技球を払い出し通路７２を経て供給皿１７に案内するようになっている。
【００３４】
後部ケース３８の下側で且つ下部装着部５の裏面には、図３に示すように基板装着台７３が着脱自在に装着されており、この基板装着台７３の裏面側に、電源基板７４を格納する電源基板ケース７５と、払い出し制御基板７６を格納する払い出し基板ケース７７とが着脱自在に装着されている。
【００３５】
枠側ジョイント部１４は、図４、図５に示すように遊技盤装着枠３７に対応して後部ケース３８に装着されたジョイントケース７８と、このジョイントケース７８の前面側に浮動状態に装着された複数の枠側コネクタ１３ａ〜１３ｄと、ジョイントケース７８内で枠側コネクタ１３ａ〜１３ｄに接続された枠側中継コネクタ８２ａ〜８２ｄ（図８参照）とを備えている。
【００３６】
盤側ジョイント部１６は図４、図６に示すように集球ケース６５の支持段部７９の裏面に装着された盤側中継基板８０と、各枠側コネクタ１３ａ〜１３ｄに対応して盤側中継基板８０に装着された盤側コネクタ１５ａ〜１５ｄと、盤側中継基板８０に装着され且つ盤側コネクタ１５ａ〜１５ｄにプリント配線により接続された盤側中継コネクタ８１ａ〜８１ｄとを備え、遊技盤８を遊技盤装着枠３７内に装着したときに、盤側コネクタ１５ａ〜１５ｄと枠側コネクタ１３ａ〜１３ｄとが接続するようになっている。
【００３７】
枠側コネクタ１３ａ〜１３ｄ、盤側コネクタ１５ａ〜１５ｄは、例えば図８に示すように接続されている。即ち、枠側コネクタ１３ａは枠側中継コネクタ８２ａ、ハーネス８３ａを介して払い出し制御基板７６に接続され、枠側コネクタ１３ｂは枠側中継コネクタ８２ｂ、ハーネス８３ｂを介して電源基板７４に接続され、枠側コネクタ１３ｃは枠側中継コネクタ８２ｃ、ハーネス８３ｃを介して前枠中継基板３０に接続され、枠側コネクタ１３ｄは枠側中継コネクタ８２ｄ、ハーネス８３ｄを介して電源基板７４に接続されている。なお、前枠中継基板３０は個別のハーネス８４ａ，８４ｂを介してスピーカ３１，３９，４０と回転灯２１とに接続されている。
【００３８】
盤側コネクタ１５ａは盤側中継コネクタ８１ａ、ハーネス８５ａを介して主制御基板５８の信号出力部に接続され、盤側コネクタ１５ｂは盤側中継コネクタ８１ｂ、ハーネス８５ｂを介して主制御基板５８の電源部に接続され、盤側コネクタ１５ｃは盤側中継コネクタ８１ｃ、ハーネス８５ｃを介して演出制御基板６０に接続され、盤側コネクタ１５ｄは盤側中継コネクタ８１ｄ、ハーネス８５ｄを介して演出制御基板６０、液晶制御基板６２の電源部に接続されている。
【００３９】
例えば演出制御基板６０は遊技状態に応じてスピーカ３１，３９，４０の効果音に関する制御をする機能、回転灯２１の操作、回転発光に関する制御をする機能を有し、この演出制御基板６０には図９に示すように上部左用、上部右用及び下部用のスピーカ３１，３９，４０に対応する複数個の端子８６と、回転灯２１の発光素子、モータ、センサ等に対応するＥＮＡＢＬＥ、ＣＬＫ、ＧＮＤ、ＬＡＴＣＨ、ＤＡＴＡ、ＳＥＮＳ、ＤＣ５Ｖ、ＤＣ１２Ｖ等の複数個の端子８７とを有する基板側コネクタ８８が設けられている。
【００４０】
盤側ジョイント部１６の盤側中継コネクタ８１ｃ及び盤側コネクタ１５ｃ、枠側ジョイント部１４の枠側コネクタ１３ｃ及び枠側中継コネクタ８２ｃ、前枠中継基板３０の前枠側中継コネクタ８９ｃには、演出制御基板６０の基板側コネクタ８８と同数の端子を有するものが使用されている。
【００４１】
基板側コネクタ８８と盤側中継コネクタ８１ｃとを接続するハーネス８５ｃ、枠側中継コネクタ８２ｃと前枠側中継コネクタ８９ｃを接続するハーネス８３ｃには、図１０に示すように各スピーカ３１，３９，４０用の複数本一組の配線９０と、回転灯２１及び周辺の発光素子用（以下、回転灯２１用という）の複数本一組の配線９１とを１つにまとめたものが使用されている。即ち、各ハーネス８３ｃ，８５ｃはスピーカ３１，３９，４０用の一組の配線９０と、回転灯２１用の一組の配線９１との二組の配線９０，９１を備え、その二組の配線９０，９１の両端が１個のコネクタ９２，９３に夫々接続されている。二組の配線９０，９１はコネクタ９２，９３間で各組毎に分けて逆方向に撚り合わされると共に、その撚り合わせた状態で一緒に一方向に撚り合わされている。
【００４２】
スピーカ３１，３９，４０用の配線９０は、図９に示すように各スピーカ３１，３９，４０別に上部左用、上部右用及び下部用の２本ずつを一組とし、効果音用ＰＷＭ信号を送信するようになっている。また回転灯２１用の配線９１は、図９に示すようにＥＮＡＢＬＥ線、ＣＬＫ線、ＧＮＤ線、ＬＡＴＣＨ線、ＤＡＴＡ線、ＳＥＮＳ線、ＤＣ５Ｖ線、ＤＣ１２Ｖ線等の複数本を一組として、例えば遊技者が回転灯２１を押圧操作すること等を条件に、回転灯２１に大当たり予告等の電飾演出信号（電飾シリアル信号）を送信するようになっている。
【００４３】
両端のコネクタ９２，９３にはスピーカ３１，３９，４０用の配線９０と回転等用の配線９１との数に見合う接続部が幅方向及び長手方向に所定間隔を置いて設けられており、スピーカ３１，３９，４０用の一組の配線９０が一端側に集中し、回転灯２１用の一組の配線９１が他端側に集中するように、各組毎に分けてその接続部に接続されている。
【００４４】
スピーカ３１，３９，４０用の配線９０と、回転灯２１用の配線９１は、図１０に示すように両コネクタ９２，９３間で各組毎に分けて逆向き方向に１回又は複数回撚り合わされると共に、その撚り合わせた状態で互いに一方向に１回又は複数回撚り合わされ、中間がバンド等の結束具９４により結束されている。別々に撚り合わせた後の各配線９０，９１を一緒に撚り合わせる場合には、一方に対してはその撚りを戻すことになるので、後者の撚り合わせ回数は、前者の撚り合わせ回数よりも少なくする必要があり、１回程度が望ましい。
【００４５】
なお、組毎に撚り合わせた状態において両配線９０，９１の広がりが問題とならない程度の場合、又は結束具９４による結束で十分な場合には、両者を一緒に撚り合わせる必要はない。また両者を撚り合わせることにより、結束具９４による結束を省略することもできる。配線９０，９１には導体の外周に絶縁被覆を施したものが使用されている。
【００４６】
ハーネス８３ｃ，８５ｃは、例えば図１１（ａ）〜（ｄ）に示すような手順で製造する。先ず略同一長さの配線９０，９１を必要数だけ準備し、その両端を図１１（ａ）に示すようにコネクタ９２，９３の対応する接続部に接続する。この場合、スピーカ３１，３９，４０用の配線９０はコネクタ９２，９３の長手方向の一端側の接続部に集中し、回転灯２１用の配線９１はコネクタ９２，９３の長手方向の他端側の接続部に集中するように、各配線９０，９１を夫々まとめてコネクタ９２，９３に接続する。
【００４７】
次に両コネクタ９２，９３間で各組毎に各配線９０，９１を両側に分けて、図１１（ｂ）に示すように各組の配線９０，９１間に所定の隙間をあける。そして、図１１（ｃ）に示すようにその隙間に一方のコネクタ９２を挿入して反対側に引き出しながら、コネクタ９２，９３間の間隔が延びるように配線９０，９１をその長手方向に引っ張る。これを複数回繰り返すと、図１１（ｄ）に示すようにスピーカ３１，３９，４０用の配線９０と、回転灯２１用の配線９１とを各組毎に逆方向に撚り合わすことができる。
【００４８】
そして、各配線９０，９１の個別の撚り合わせが終了すると、図１１（ｄ）に示すように一方のコネクタ９３を一方向に廻して撚り合わせた状態の両配線９０，９１を一緒に１回程度撚り合わせ、またハーネス８３ｃ，８５ｃの長さが長い場合には、図１１（ｄ）に示すようにコネクタ９２，９３間の中間の適当な位置で各配線９０，９１を結束具９４で結束する。
【００４９】
このような撚り合わせをハーネス８３ｃ，８５ｃの長さに応じて１回から数回程度繰り返すことにより、スピーカ３１，３９，４０用の配線９０と回転灯２１用の配線９１とが各組毎に適度に撚り合わされたハーネス８３ｃ，８５ｃを容易に製造することができる。通常、信号線の色は全て同色又は１本のみ違う色で他は全て同色になってるため、各配線９０，９１を別々に撚り合わせた後、その各配線９０，９１をコネクタ９２，９３の対応する接続部に接続するのは至難の業となる。しかし、このように各配線９０，９１をコネクタ９２，９３に接続した後に、各配線９０，９１を別々に撚り合わせることにより、撚り合わせた状態のハーネス８３ｃ，８５ｃを極く簡単に製造することができる。
【００５０】
このような構成のパチンコ機では、特別図柄始動手段４５が遊技球を検出すると、特別図柄表示手段４９の特別図柄が所定時間変動して、特別図柄始動手段４５の遊技球の検出時に抽選された乱数値に応じて大当たり態様又は外れ態様で停止する。また液晶制御基板６２の制御により、特別図柄の変動に同期して画像表示部５０の３個の演出図柄５３ａ〜５３ｃも所定時間変動表示される。このとき演出図柄５３ａ〜５３ｃは特別図柄始動手段４５の遊技球の検出を条件に、抽選により決定された所定の演出図柄変動パターンを経て所定時間変動した後、特別図柄の変動終了に同期して所定の順序（例えば左、右、中等の順序）で順次停止する。演出図柄５３ａ〜５３ｃの変動後の停止図柄は、特別図柄が大当たり態様で停止する場合には全てが揃う大当たり演出態様となり、特別図柄が外れ態様で停止する場合には少なくとも一部が異なる外れ演出態様となる。
【００５１】
特別図柄始動手段４５が遊技球を検出した際に、例えば変動後の特別図柄が大当たり態様となって特別遊技状態が発生する大当たりを抽選していた場合には、特別図柄の変動中に、画像表示手段４３に表示される演出図柄５３ａ〜５３ｃのうち２個の演出図柄５３ａ，５３ｃが同じ図柄を表示するリーチになったときに、回転灯２１の操作を指示する操作指示画像５４が画像表示手段４３に表示される。
【００５２】
そして、この操作指示画像５４が表示されたときに、遊技者が適宜タイミングで回転灯２１を押圧操作すれば、特別図柄、演出図柄５３ａ〜５３ｃの変動中に所定のタイミングで演出制御基板６０がハーネス８３ｃ，８５ｃ等を介してスピーカ３１，３９，４０、回転灯２１に大当たり予告信号を出力し、その大当たり予告信号により回転灯２１が赤色に回転発光しスピーカ３１，３９，４０が効果音を発生して、その後の大当たり態様での特別図柄の停止、及びこれに続く特別遊技状態の発生を予告する。
【００５３】
この種のパチンコ機では、回転灯２１が回転発光すればその後に必ず大当たりが発生する等、回転灯２１は大当たりの予告用に使用される場合が多い。このような回転灯２１の使用態様において、回転灯２１用の配線９１が他の部分で発生する電磁波の影響を受けて回転灯２１が回転発光するような誤動作は防止する必要がある。
【００５４】
例えば、スピーカ３１，３９，４０による効果音は大当たりの予告演出の他にも多く利用されており、遊技中はハーネス８３ｃ，８５ｃの配線９０を通じてスピーカ３１，３９，４０に対して音声信号（ＰＷＭ信号）が送信され、その都度、配線９０の周辺に所定の電磁波が発生する。
【００５５】
しかし、二組の配線９０，９１が各組毎に分けて撚り合わされたハーネス８３ｃ，８５ｃを使用すれば、スピーカ３１，３９，４０用の３対の各配線９０により発生する磁束が逆方向となって互いに打ち消し合うので、他の組の配線９１に対する悪影響を防止することができ、回転灯２１がノイズにより誤って回転発光するような惧れはない。従って、回転灯２１用の配線９１がスピーカ３１，３９，４０用の配線９０の電磁波の影響を受けて、回転灯２１が回転発光するような誤動作を確実に防止することができる。
【００５６】
またスピーカ３１，３９，４０用の配線９０、回転灯２１用の配線９１が互いに信号を送信する場合にも、各配線９０，９１が各組毎に分けて撚り合わされているので、隣り合う配線９０，９１相互で発生する磁束が逆方向となって互いに打ち消し合うので、一方の電磁波が他方に対してノイズとなる惧れもない。
【００５７】
例えば配線９１は回転灯２１を含む皿カバー２０側の全ての発光素子に対して信号を送信しており、ＣＬＫ線のクロック信号に同期して、ＤＡＴＡ線により全ての発光素子に対してオン・オフのデータを順次送信し、その送信後にＬＡＴＣＨ線のラッチ信号がオンになると、回転灯２１を含む全ての発光素子がオン・オフデータに応じて点灯又は消灯する。
【００５８】
このような演出制御において、ＣＬＫ線のクロック信号がノイズによって乱れた場合には、ＤＡＴＡ線で順番に送信しているデータがずれて、回転灯２１以外の発光素子を発光させるはずのオンデータが回転灯２１の回転発光データとなり、その回転発光データによって回転灯２１が予期しないときに誤動作（回転発光）することがある。またＤＡＴＡ線の信号がノイズの影響を受けた場合にも同様である。しかし、このような誤動作を確実に防止することができる。
【００５９】
しかも、回転灯２１用の配線９１はＤＡＴＡ線等のみでなく、そのＤＡＴＡ線等の各線と閉回路を構成するＧＮＤ線も一緒に撚り合わせているので、ＧＮＤ線を除くＤＡＴＡ線等を撚り合わせる場合に比較してノイズに対する耐性がより向上する利点がある。
【００６０】
スピーカ３１，３９，４０用の配線９０と回転灯２１用の配線９１との二組の配線９０，９１を一つにまとめたハーネス８３ｃ，８５ｃを使用することにより、遊技機の内部に多数の配線がある場合にも各配線の錯綜を防止でき、配線構造を簡単にすることができる。また撚り合わせた配線９０，９１を一緒に撚り合わせているので、ハーネス８３ｃ，８５ｃの各配線９０，９１のまとまりも良好にできる。
【００６１】
図１２は本発明の第２の実施形態を例示する。ハーネス８３ｃ，８５ｃは、図１２（ａ）〜（ｅ）に示すような手順で製造してもよい。先ず略同一長さの配線９０，９１を必要数だけ準備し、その両端を図１２（ａ）に示すようにコネクタ９２，９３の対応する接続部に接続した後、図１２（ｂ）に示すようにコネクタ９２，９３間の中間の適当な位置で各配線９０，９１を結束具９４で結束する。
【００６２】
次にコネクタ９２，９３と結束具９４との間で各組毎に各配線９０，９１を両側に分けて、図１２（ｃ）に示すように各組の配線９０，９１間に所定の隙間をあける。そして、図１２（ｄ）に示すようにその隙間に一方のコネクタ９２を挿入して反対側に引き出しながら、コネクタ９２と結束具９４との間隔が延びるように配線９０，９１をその長手方向に引っ張る。これによって図１２（ｅ）に示すようにスピーカ３１，３９，４０用の配線９０と回転灯２１用の配線９１とを各組毎に逆方向に撚り合わすことができる。反対側も同様にして撚り合わせる。
【００６３】
このような撚り合わせをハーネス８３ｃ，８５ｃの長さに応じて１回から数回程度繰り返すことにより、スピーカ３１，３９，４０用の配線９０と回転灯２１用の配線９１とが各組毎に適度に撚り合わされたハーネス８３ｃ，８５ｃを容易に製造することが可能である。
【００６４】
図１３は本発明の第３の実施形態を例示する。配線９０，９１は図１３（ａ）に示すようにコネクタ９２，９３間で別々に分けて撚り合わせたままでもよいし、図１３（ｂ）に示すようにコネクタ９２，９３間で別々に分けて撚り合わせた後、適当箇所で結束具９４により結束してもよい。このように配線９０，９１が拡がる惧れがない場合には、必ずしも個別に撚り合わせた後、両者をまとめて一緒に撚り合わせなくてもよい。
【００６５】
図１４は本発明の第４の実施形態を例示する。この実施形態のハーネス８３ｃ，８５ｃは、スピーカ３１，３９，４０用の複数本の配線９０と、回転灯２１用の複数本の配線９１とを備え、その両端にコネクタ９２，９３が夫々設けられている。二組の配線９０，９１は別々に分けて同一方向に撚り合わされており、必要に応じて結束具９４で結束されている。
【００６６】
この場合には配線９０，９１の一端側にコネクタ９２を接続し、他端にコネクタ９３を接続する前に、各組の配線９０，９１を夫々撚り合わせる。そして、その後に他端にコネクタ９３を接続すればよい。各配線９０，９１とコネクタ９２，９３の各接続箇所との対応関係を間違わなければ、ハーネス８３ｃ，８５ｃはこのような構造でもよい。二組の配線は必要に応じて中間を結束具９４で結束すればよい。なお、撚り合わせた状態の各配線９０，９１を一緒に撚り合わせる場合には、その順方向（同一方向）に縒り合わせることが望ましい。
【００６７】
図１５は本発明の第５の実施形態を例示する。この実施形態のハーネス８３ｃ，８５ｃは、図１５（ａ）に示すようにスピーカ３１，３９，４０用の複数本の配線９０と、回転灯２１用の複数本の配線９１とがその長手方向の中間部９０ａ，９１ａの両側で逆向きに撚り合わされている。なお、各配線９０，９１の中間部９０ａ，９１ａは長手方向にずれていることが望ましい。また必要に応じて結束具９４で結束してもよい。
【００６８】
このハーネス８３ｃ，８５ｃを製造する場合には、図１５（ｂ）に示すように各配線９０，９１の中間部９０ａ，９１ａを別々に把持手段、その他の手段で保持する等して、その中間部９０ａ，９１ａを矢印方向に捩じると、中間部９０ａ，９１ａの両側で各配線９０，９１を撚り合わすことができる。従って、各配線９０，９１が保形性を有し復元し難いものの場合には、このようにして各配線９０，９１を撚り合わせてもよい。
【００６９】
図１５（ｂ）では各配線９０，９１を逆方向に捩じるようにしているが、同一方向に捩じるようにしてもよい。この場合には、結束具９４の両側で各配線９０，９１が逆向きに撚り合わされているので、その撚り合わせ方向と同方向に両配線９０，９１をまとめて撚り合わすようにしてもよい。
【００７０】
以上、本発明の各実施形態について詳述したが、本発明はこれらの実施形態に限定されるものではなく、本発明の趣旨を逸脱しない範囲で種々の変更が可能である。例えば、実施形態では、演出制御基板６０を一端側電気的手段とし、複数種類の他端側電気的手段をスピーカ３１，３９，４０と回転灯２１として、その演出制御基板６０とスピーカ３１，３９，４０とを接続する配線９０、演出制御基板６０と回転灯２１とを接続する配線９１を備えたハーネス８３ｃ，８５ｃについて例示しているが、演出制御基板６０、スピーカ３１，３９，４０、回転灯２１以外のパチンコ機内部の各電気的手段、及びその電気的手段を相互に接続するハーネス等についても同様に実施可能である。また他端側電気的手段は複数種類である必要はなく、同種のものが複数個あってもよい。
【００７１】
またパチンコ機内部の電気的手段の他、パチンコ機側の電気的手段と外部の電気的手段とを接続するハーネス、例えば島設備からパチンコ機に電源を供給する電源線と、パチンコ機の大当たり等のデータを島設備側の管理装置に取り出す外部取り出し線とを含むハーネス等においても同様に実施可能である。勿論、パチンコ機以外の各種の遊技機でも同様に実施できることは云うまでもない。
【００７２】
更に演出制御基板６０を１個の電気的手段とした場合には、一端側電気的手段が１個で、他端側電気的手段がスピーカ３１，３９，４０と回転灯２１との２個になるが、ハーネスは例えば複数本一組の電源線と複数本一組の信号線とを組み合わせたハーネスの場合にも採用可能である。従って、複数本一組の異種の電流が流れる配線を複数組備えたハーネスであって、その両端に接続される電気的手段は、例えば給電兼用の制御基板等の制御源と、この制御源により給電され且つ制御される制御対象基板のように共に１個の場合でもよい。１個の制御源に対して制御対象は複数個でもよい。
【００７３】
また島設備からパチンコ機に電源を供給する電源線と、パチンコ機の大当たり等のデータを島設備側の管理装置に取り出す外部取り出し線とを含むハーネスの場合には、一端側電気的手段、他端側電気的手段が共に複数個となる。他端側電気的手段として電飾手段を設ける場合にも、回転灯２１の他、発光手段を備えた各種のものを採用してもよい。
複数組の配線を撚り合わせる場合の方向は同一方向でも逆方向でもよい。また三組以上の各配線を組み合わせてもよい。更に個々の各配線９０，９１を撚り合わせた後、その両配線９０，９１を縒り合わせて一本にしてもよい。
【符号の説明】
【００７４】
１  遊技機本体
８  遊技盤
１４  枠側ジョイント部
１６  盤側ジョイント部
２１  回転灯（電飾手段、他端側電気的手段）
３０  前枠中継基板
３１  下部スピーカ（他端側電気的手段）
３９，４０  上部スピーカ（他端側電気的手段）
６０  演出制御基板（制御源、一端側電気的手段）
８２ｃ，８５ｃ  ハーネス
９０，９１  配線
９２，９３  コネクタ
９４  結束具
【図１】
2011115315.tif 000003
【図２】
2011115315.tif 000004
【図３】
2011115315.tif 000005
【図４】
2011115315.tif 000006
【図５】
2011115315.tif 000007
【図６】
2011115315.tif 000008
【図７】
2011115315.tif 000009
【図８】
2011115315.tif 000010
【図９】
2011115315.tif 000011
【図１０】
2011115315.tif 000012
【図１１】
2011115315.tif 000013
【図１２】
2011115315.tif 000014
【図１３】
2011115315.tif 000015
【図１４】
2011115315.tif 000016
【図１５】
2011115315.tif 000017
【手続補正書】
【提出日】平成22年1月25日(2010.1.25)
【手続補正２】
【補正対象書類名】明細書
【補正対象項目名】０００１
【補正方法】変更
【補正の内容】
【０００１】
本発明は、パチンコ機、アレンジボール機、スロットマシン等の遊技機及び遊技機用ハーネスの製造方法に関するものである。